(57)【要約】【課題】  本発明は、歯ブラシ本体から水を噴射するように構成することにより、効率よく、しかも確実に歯磨き粉や食べかす等を除去することができるとともに、歯茎を傷つけないでマッサージすることができる歯ブラシおよび歯ブラシ装置を得るにある。【解決手段】  先端部にブラシを備えた歯ブラシ本体と、この歯ブラシ本体の先端部あるいは先端部寄りの部位から水を噴射させることができる噴射ノズルと、この噴射ノズルに水を供給することができる洗浄水供給具とで歯ブラシを構成している。【選択図】  図１
2005110829.tif 000002
【特許請求の範囲】
【請求項１】
先端部にブラシを備えた歯ブラシ本体と、この歯ブラシ本体の先端部あるいは先端部寄りの部位から水を噴射させることができる噴射ノズルと、この噴射ノズルに水を供給することができる洗浄水供給具とからなることを特徴とする歯ブラシ。
【請求項２】
先端部にブラシを備えた歯ブラシ本体と、この歯ブラシ本体の先端部あるいは先端部寄りの部位から水を噴射させることができる噴射ノズルと、この噴射ノズルに水を供給することができる洗浄水供給具と、この洗浄水供給具および前記噴射ノズルの両方あるいはいずれか一方に前記歯ブラシ本体を着脱可能に取付けることができる取付け手段とからなることを特徴とする歯ブラシ。
【請求項３】
噴射ノズルは、噴射口が歯ブラシ本体の先端よりも突出した位置に配設されていることを特徴とする請求項１あるいは２に記載の歯ブラシ。
【請求項４】
先端部にブラシを備えた歯ブラシ本体、この歯ブラシ本体の先端部あるいは先端部寄りの部位から水を噴射させることができる噴射ノズル、この噴射ノズルに水を供給することができる洗浄水供給具とからなる歯ブラシと、この歯ブラシの洗浄水供給具に水を供給する洗浄水供給装置とからなることを特徴とする歯ブラシ装置。
【請求項５】
歯ブラシの先端部あるいは先端部寄りの部位から水を噴射させることができる噴射ノズルと、この噴射ノズルに水を供給することができる洗浄水供給具と、この洗浄水供給具および前記噴射ノズルの両方あるいはいずれか一方に前記歯ブラシを着脱可能に取付けることができる取付け手段とからなることを特徴とする歯ブラシ装置。
【発明の詳細な説明】
【技術分野】
【０００１】
本発明は、水道水等を口内に噴射させて歯磨きすることができる歯ブラシおよび歯ブラシ装置に関する。
【背景技術】
【０００２】
従来、歯磨きは柄の先端部にブラシを備えた歯ブラシを用いて行っている。
【０００３】
従来の歯磨きでは、歯磨きの後、コップに水を溜める等して別途うがいをしなければならないので、口内のゆすぎに手間取るとともに、口内の歯磨き粉、食べかす等の完全除去に時間を要するという欠点があった。
また、歯ブラシを使って歯茎のマッサージをしたりするが、この場合は、歯ブラシで歯茎を傷つけてしまうこともあり、効果的に歯茎をマッサージすることができないという欠点があった。
【発明の開示】
【発明が解決しようとする課題】
【０００４】
本発明は以上のような従来の欠点に鑑み、歯ブラシ本体から水を噴射するように構成することにより、効率よく、しかも確実に歯磨き粉や食べかす等を除去することができるとともに、歯茎を傷つけないでマッサージすることができる歯ブラシおよび歯ブラシ装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は、先端部にブラシを備えた歯ブラシ本体と、この歯ブラシ本体の先端部あるいは先端部寄りの部位から水を噴射させることができる噴射ノズルと、この噴射ノズルに水を供給することができる洗浄水供給具とで歯ブラシを構成している。
【０００７】
また、本発明は、先端部にブラシを備えた歯ブラシ本体、この歯ブラシ本体の先端部あるいは先端部寄りの部位から水を噴射させることができる噴射ノズル、この噴射ノズルに水を供給することができる洗浄水供給具とからなる歯ブラシと、この歯ブラシの洗浄水供給具に水を供給する洗浄水供給装置とで歯ブラシ装置を構成している。
【発明の効果】
【０００８】
以上の説明から明らかなように、本発明にあっては次に列挙する効果が得られる。
【０００９】
（１）先端部にブラシを備えた歯ブラシ本体と、この歯ブラシ本体の先端部あるいは先端部寄りの部位から水を噴射させることができる噴射ノズルと、この噴射ノズルに水を供給することができる洗浄水供給具とで構成されているので、口内の汚れを歯ブラシ本体と、噴射口ノズルより噴射される水とで除去することができる。
したがって、効率よく、しかも確実に歯磨きをすることができる。
【００１０】
（２）前記（１）によって、噴射ノズルから噴射される水で歯茎をマッサージすることができる。
したがって、歯茎を傷つけることなくマッサージすることができる。
【００１１】
（３）前記（１）によって、構成が簡単であるので、容易に製造することができる。
【００１２】
（４）請求項２も前記（１）〜（３）と同様の効果が得られるとともに、歯ブラシ本体が着脱可能なので、定期的に歯ブラシ本体を取り替えて用いることができる。
【００１３】
（５）請求項３も前記（１）〜（３）と同様の効果が得られるとともに、噴射ノズルは、噴射口が歯ブラシ本体の先端部よりも突出した位置に配設されているので、ブラシが邪魔にならずに効果的に水を噴射させることができる。
【００１４】
（６）請求項４も前記（１）〜（３）と同様の効果が得られる。
【００１５】
（６）請求項５も前記（１）〜（４）と同様の効果が得られる。
【発明を実施するための最良の形態】
【００１６】
以下、図面に示す本発明を実施するための最良の形態により、本発明を詳細に説明する。
【００１７】
図１ないし図６に示す本発明を実施するための最良の第１の形態において、１は、水道水等を口内に噴射させて歯磨きすることができる本発明の歯ブラシで、この歯ブラシ１は、先端部にブラシ２を備えた歯ブラシ本体３と、この歯ブラシ本体３の先端部あるいは先端部寄りの部位、本形態では先端部より水を噴射させることができる噴射ノズル４と、この噴射ノズル４に水を供給することができる洗浄水供給具５と、この洗浄水供給具５および前記噴射ノズル４に前記歯ブラシ本体３を着脱可能に取付けることができる取付け手段６とで構成されている。
【００１８】
前記歯ブラシ本体３は、柄７と、この柄７の先端部に一体形成された頭部８と、この頭部８に植毛されたブラシ２とで構成されている。
【００１９】
前記噴射ノズル４は、プラスチック材、金属材等の材料で形成され、噴射口９が前記歯ブラシ本体３の先端部よりも突出した位置に配設されるように形成されているとともに、後端部には、後述する洗浄水供給具５のホース１０が容易に抜け脱しないための接続部１１が形成されている。また、噴射口９は、噴射される水に圧力をかけてジェット水流化させるために、極微小の孔で形成されている。
【００２０】
さらに、前記噴射ノズル４は、先端側が前記歯ブラシ本体３のブラシ２側にやや傾斜するように突出形成されている。これにより、歯磨き後に持ち手等を変えずにそのまま当該噴射ノズル４より水１２を口内に効率よく噴射させることができる。なお、当該噴射ノズル４を前記歯ブラシ本体３のブラシ２側にやや傾斜するように突出させるにあたり、前記歯ブラシ本体３は、その先端部に若干のガイド凹部３ａを形成するように構成することが望ましい。
【００２１】
前記洗浄水供給具５は、先端部が前記噴射ノズル４の後端部に接続される樹脂製のホース１０と、このホース１０の後端部に取付けられた、水道の蛇口１３に取付けることができる接続具１４とで構成されている。
【００２２】
前記取付け手段６は、前記洗浄水供給具５のホース１０に挿通させて取付けられ、前記歯ブラシ本体３の柄７の後端側の部位を着脱可能に挟持するプラスチック材で形成された第１の挟持片１５と、前記噴射ノズル４の後端部寄りの部位に一体形成された、前記歯ブラシ本体３の頭部８の根本部位を挟持する第２の挟持片１６とで構成されている。
【００２３】
上記構成の歯ブラシ１は、先ず、図５に示すように、洗浄水供給具５の接続具１４を、水道の蛇口１３に取付けた状態にする。この状態で通常の歯磨きと同様の動作で歯磨きをする。
【００２４】
次に、歯磨きを終えたら、図６に示すように、歯ブラシ本体３の頭部８を口内１７に残した状態、すなわち、噴射ノズル４の噴射口９が口内１７に配された状態で、水道の蛇口１３を適当な水の噴射状態となるように開放する。この蛇口１３の開放により、水道からの水１２が口内１７に勢いよく噴射されるので、この噴射された水１２を使って、前記歯ブラシ本体３のブラシ２で磨きとった汚れや、歯と歯の間、歯と歯茎の間に残存する食べカス等を確実に除去することができる。そして、そのまま一連の動作で口内の濯ぎまでをも行うことができる。濯ぎが終わったら、歯ブラシ本体３の頭部８および噴射ノズル４の噴射口９が口内１７に配された状態で水道の蛇口１３を閉口する。
【００２５】
このようにして、歯ブラシ本体３と、噴射ノズル４より噴射される水１２とで歯磨きを行うことで、確実に口内１７の汚れを落とすことができるとともに、噴射ノズル４より噴射される水１２で濯ぎも行うことができるので、従来行っていた、別途コップに水を溜めて濯ぎをするという動作をしなくてもよく、極めて効率的よく歯磨きをすることができる。
【００２６】
また、前記噴射ノズル４から噴射される水１２を用いて、歯茎をマッサージすることもできる。この場合も、水道の蛇口１３の開放状態を調節することで前記噴射ノズル４から噴射される水１２の圧力を調整する。
【００２７】
このようにして、歯磨き時に歯茎をマッサージすることにより、歯と歯茎の健康に資することができる。また、前記噴射ノズル４から噴射される水１２を用いて歯茎をマッサージするので、歯茎が傷ついてしまう不具合を確実に防止することができる。
【００２８】
なお、本形態にあっては、歯ブラシ本体３と、噴射ノズル４と、洗浄水供給具５と、取付け手段６とで歯ブラシ１を構成したものについて説明したが、本発明はこれに限らず、一般に市販されている歯ブラシを用いる場合には、前記噴射ノズル４と、洗浄水供給具５と、取付け手段６とで歯ブラシ装置を構成する。
{発明を実施するための異なる形態}
【００２９】
次に、図７ないし図１４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００３０】
図７に示す本発明を実施するための第２の形態において、前記本発明を実施するための最良の第１の形態と主に異なる点は、従来から用いられている口腔洗浄装置１８の出水口１９にホース１０Ａの後端部が取付けられるように構成した点で、このようなホース１０Ａを用いた洗浄水供給具５Ａを構成した歯ブラシ１Ａにしても前記本発明を実施するための最良の第１の形態と同様の作用効果が得られる。
【００３１】
なお、前記歯ブラシ１Ａと、この歯ブラシ１Ａの洗浄水供給具５Ａに水１２を供給する前記口腔洗浄装置１８からなる洗浄水供給装置２０とで歯ブラシ装置２１を構成している。
【００３２】
図８に示す本発明を実施するための第３の形態において、前記本発明を実施するための第２の形態と主に異なる点は、貯水容器２２に貯水された水１２を供給することができる逆止弁を備えた空気流入口を形成した（図示せず）手動式ポンプ２３の出水口２４に、歯ブラシ１Ａのホース１０Ａの後端部を接続して用いるように構成した点で、このような手動式ポンプ２３および貯水容器２２からなる洗浄水供給装置２０Ａを用いた歯ブラシ装置２１Ａにしても前記本発明を実施するための最良の第１の形態と同様の作用効果が得られる。
【００３３】
図９に示す本発明を実施するための第４の形態において、前記本発明を実施するための第２の形態と主に異なる点は、圧縮された気体によって水１２を噴射させることができるスプレー缶２５からなる洗浄水供給装置２０Ｂを用いるとともに、このスプレー缶２５の噴射口２６に接続具１４Ａを介してホース１０の後端部を取付けるように構成した点で、このような接続具１４Ａを備えた洗浄水供給具５Ｂを構成した歯ブラシ１Ｂと、前記洗浄水供給装置２０Ｂとで構成された歯ブラシ装置２１Ｂにしても前記前記本発明を実施するための最良の第１の形態と同様の作用効果が得られる。
【００３４】
図１０ないし図１２に示す本発明を実施するための第５の形態において、前記本発明を実施するための最良の第１の形態と主に異なる点は、噴射ノズル４とホース１０との間に、歯ブラシ本体３の柄７の部分を着脱可能に挟持するとともに、前記ホース１０から供給される水１２を噴射ノズル４に供給する導水路２７が形成された握持体２８を介装させた点で、このような握持体２８を有する洗浄水供給具５Ｃを構成した歯ブラシ１Ｃにしても前記本発明を実施するための最良の第１の形態と同様の作用効果が得られる。
【００３５】
なお、前記洗浄水供給具５Ｃの握持体２８は、歯ブラシ本体３の柄７の部分を着脱可能に挟持するために、略リップ溝形状で形成された取付け部２９を備えているとともに、この取付け部２９と前記第２の挟持片とで取付け手段６Ａを構成している。
【００３６】
また、本形態において、取付け手段６Ａは、取付け部２９を略リップ溝形状で構成したものについて説明したが、本発明はこれに限らず、取付け部２９を歯ブラシ本体３の柄７の部分が着脱可能に挿入できるように、例えば、筒状に構成してもよい。
【００３７】
さらに、本形態において、噴射ノズル４と握持体２８とを別体で構成したものについて説明したが、本発明はこれに限らず、当該噴射ノズル４と握持体２８とを一体形成して構成してもよい。
【００３８】
図１３に示す本発明を実施するための第６の形態において、前記本発明を実施するための第５の形態と主に異なる点は、柄７を有しない、後端部にフランジ３０および接続突起部３１が形成された歯ブラシ本体３Ａと、この歯ブラシ本体３Ａの接続突起部３１が挿入される取付け凹部３２が形成されるとともに、噴射ノズル４と一体形成された握持体２８Ａを用いた点で、このような握持体２８Ａを有する洗浄水供給具５Ｄおよび前記歯ブラシ本体３Ａを構成した歯ブラシ１Ｄにしても前記本発明を実施するための最良の第１の形態と同様の作用効果が得られる。
【００３９】
図１４に示す本発明を実施するための第７の形態において、前記本発明を実施するための第６の形態と主に異なる点は、歯ブラシ本体３Ａの先端部寄りの部位から水を噴射させることができるように噴射ノズル４Ａを構成した点で、このような噴射ノズル４Ａを構成した歯ブラシ１Ｅにしてもよい。  
【００４０】
なお、前記本発明を実施する各形態において、歯ブラシ本体３（３Ａ）は、洗浄水供給具５（５Ａ）（５Ｂ）と前記噴射ノズル４、あるいは洗浄水供給具５Ｃ（５Ｄ）に着脱可能に取付けるように構成したものについて説明したが、本発明はこれに限らず、例えば、噴射ノズル４のみで歯ブラシ本体３を着脱可能に取付けるように構成したり、歯ブラシ本体３と噴射ノズル４とを一体形成したもので構成してもよい。
【産業上の利用可能性】
【００４１】
本発明は歯ブラシおよび歯ブラシ装置を生産する産業で利用される。
【図面の簡単な説明】
【００４２】
【図１】本発明を実施するための最良の第１の形態の正面図。
【図２】本発明を実施するための最良の第１の形態の側面図。
【図３】本発明を実施するための最良の第１の形態の平面図。
【図４】図２の４−４線に沿う拡大断面図。
【図５】水道の蛇口に接続した状態の説明図。
【図６】噴射ノズルより水を噴射させた状態の説明図。
【図７】本発明を実施するための第２の形態の説明図。
【図８】本発明を実施するための第３の形態の説明図。
【図９】本発明を実施するための第４の形態の説明図。
【図１０】本発明を実施するための第５の形態の正面図。
【図１１】本発明を実施するための第５の形態の側面図。
【図１２】図１１の１２−１２線に沿う拡大断面図。
【図１３】本発明を実施するための第６の形態の一部破断正面図。
【図１４】本発明を実施するための第７の形態の一部破断正面図。
【符号の説明】
【００４３】
１、１Ａ〜１Ｅ：歯ブラシ、    ２：ブラシ、
３、３Ａ：歯ブラシ本体、      ４、４Ａ：噴射ノズル、
５、５Ａ〜５Ｄ：洗浄水供給具、
６、６Ａ：取付け手段、        ７：柄、
８：頭部、                    ９：噴射口、
１０、１０Ａ：ホース、        １１：接続部、
１２：水、                    １３：蛇口、
１４、１４Ａ：接続具、        １５：第１の挟持片、  
１６：第２の挟持片、          １７：口内、  
１８：口腔洗浄装置、          １９：出水口、
２０、２０Ａ、２０Ｂ：洗浄水供給装置、
２１、２１Ａ、２１Ｂ：歯ブラシ装置、
２２：貯水容器、              ２３：手動式ポンプ、
２４：出水口、                ２５：スプレー缶、
２６：噴射口、                ２７：導水路、
２８、２８Ａ：握持体、        ２９：取付け部、
３０：フランジ、              ３１：接続突起部、
３２：取付け凹部。
【図１】
2005110829.tif 000003
【図２】
2005110829.tif 000004
【図３】
2005110829.tif 000005
【図４】
2005110829.tif 000006
【図５】
2005110829.tif 000007
【図６】
2005110829.tif 000008
【図７】
2005110829.tif 000009
【図８】
2005110829.tif 000010
【図９】
2005110829.tif 000011
【図１０】
2005110829.tif 000012
【図１１】
2005110829.tif 000013
【図１２】
2005110829.tif 000014
【図１３】
2005110829.tif 000015
【図１４】
2005110829.tif 000016